(57)【要約】【課題】  撮影時に携帯する携帯電話や腕時計などから、撮影時の位置情報や正確な時刻が容易に得られる、操作性が良く、コストパフォーマンスの高い撮像システムを実現する。【解決手段】  携帯して使用する電子機器と撮像装置から構成される撮像システムにおいて、電子機器は情報を記憶する第１の記憶手段と、第１の記憶手段に記憶された情報を変調し、人体を介して送信する送信手段を有し、撮像装置は電子機器の送信手段から人体を介して送信された情報を受信して復調する受信手段と、受信手段で復調した情報を記憶する第２の記憶手段を有する、ことを特徴とする撮像システム。【選択図】        図３
2007043282.tif 000002
【特許請求の範囲】
【請求項１】
携帯して使用する電子機器と撮像装置から構成される撮像システムにおいて、
前記電子機器は情報を記憶する第１の記憶手段と、
第１の記憶手段に記憶された情報を変調し、人体を介して送信する送信手段を有し、
前記撮像装置は、前記電子機器の送信手段から人体を介して送信された情報を受信して復調する受信手段と、
前記受信手段で復調した情報を記憶する第２の記憶手段を有する、
ことを特徴とする撮像システム。
【請求項２】
前記電子機器は、位置検出手段を有し、
前記情報は前記位置検出手段が検出した位置情報である、
ことを特徴とする請求項１に記載の撮像システム。
【請求項３】
前記電子機器は、第１の計時手段を有し、
前記情報は前記第１の計時手段が計時した時刻情報または日付情報である、
ことを特徴とする請求項１または２に記載の撮像システム。
【請求項４】
前記電子機器は、標準時刻情報を受信する標準時刻受信手段を有し、
前記標準時刻情報に基づいて前記第１の計時手段の時刻または日付を校正することを特徴とする請求項３に記載の撮像システム。
【請求項５】
前記撮像装置は、撮像した画像データを画像処理して記憶する第３の記憶手段と、
前記第３の記憶手段に記憶された画像データと前記第２の記憶手段に記憶された前記情報を関連づける情報記録制御手段とを有する、
ことを特徴とする請求項１〜４の何れか１項に記載の撮像システム。
【請求項６】
前記撮像装置は第２の計時手段を有し、
前記第２の記憶手段に記憶された前記情報に基づいて、第２の計時手段の時刻または日付を校正することを特徴とする請求項１〜５の何れか１項に記載の撮像システム。
【請求項７】
携帯して使用する電子機器と撮像装置から構成される撮像システムに用いられる撮像装置であって、
該撮像装置は、
前記電子機器から人体を介して送信された情報を受信して復調する受信手段を有することを特徴とする撮像装置。
【請求項８】
前記撮像装置は、
シャッタボタンと、
情報の受信を制御する情報受信制御手段を有し、
前記情報受信制御手段はシャッタボタンの操作を検知して、前記情報の受信を開始するように制御する、
ことを特徴とする請求項７に記載の撮像装置。
【請求項９】
前記シャッタボタンは、
人体と接触する電極部を有し、
前記電極部を介して前記情報を受信することを特徴とする請求項７または８に記載の撮像装置。
【発明の詳細な説明】
【技術分野】
【０００１】
本発明は、撮像システムまたは撮像装置に関する。
【背景技術】
【０００２】
旅行や登山などの際、撮影時の位置情報を撮影者に知らせたり、位置情報を画像とともに記録できれば便利である。そこで、ＧＰＳ（Ｇｌｏｂａｌ  Ｐｏｓｉｔｉｏｎｉｎｇ  Ｓｙｓｔｅｍ）などのセンサを搭載し、位置情報を検出する機能を備えたカメラも提案されている（例えば、特許文献１参照）。しかしながら、カメラの筐体（ボディ）が大きくなると共に、常時使用するわけではない機能まで内蔵しておくのは不合理である。
【０００３】
一方、ＧＰＳなど各種センサを内蔵した腕時計や時計機能とＧＰＳ機能を搭載した携帯電話も普及している。そこで、カメラにユーザの持つ腕時計など計時手段から現在時刻を含む各種情報を無線により送信するカメラシステムが提案されている。（例えば、特許文献２参照）。
【０００４】
また、時計機能を内蔵し、撮影画像に撮影した日付や時刻の情報を記録する機能を持っているデジタルカメラや銀塩フィルムカメラが多いが、撮影者が電池交換時などに時刻設定作業を行う際、撮影者は腕時計が示す時刻を見て合わせたり、カメラの時計精度によっては時間経過とともに誤差が生じるため、撮影画像に対して正確な時刻が記録されない場合があった。
【０００５】
そのため、カメラのリモコンユニットに時計の時刻を標準電波の時刻情報により自ら修正する機能のある電波時計を内蔵させて、電波時計で計時された時刻を、赤外線方式の通信手段によりカメラに送信し、カメラ内蔵の時計を校正するカメラシステムが提案されている。（例えば、特許文献３参照）。
【０００６】
また、近年、人体を通信ケーブルの代わりに利用して、近距離のデータ通信をおこなう「人体通信」が提案されている（例えば、特許文献４参照）。
【特許文献１】特開２００５−１４２８２５号公報
【特許文献２】特開２００１−１３５７４号公報
【特許文献３】特開２００４−５６５５４号公報
【特許文献４】特開２００３−５５７号公報
【発明の開示】
【発明が解決しようとする課題】
【０００７】
撮影時の位置情報や正確な時刻を画像とともに記録したい、という要望は多い。
【０００８】
しかしながら、特許文献２のようにＢｌｕｅｔｏｏｔｈなど微弱電波を使った無線方式で腕時計とカメラの間の通信を行う場合、通信を開始する前に送信側と受信側のチャンネルを合わせる必要があり、設定が複雑であった。また、微弱電波とはいいながら数十メートルの範囲まで電波は届くので、混信のおそれや、セキュリティ上の問題があった。一方、特許文献３のように赤外線方式で通信を行った場合は、赤外線の到達範囲が狭いため、混信のおそれや、セキュリティ上の問題は比較的少ないが、発光部と受光部を対向させる必要があるため使い勝手が良くなかった。
【０００９】
本発明は、上記課題に鑑みてなされたものであって、撮影時に携帯する携帯電話や腕時計などから、撮影時の位置情報や正確な時刻が容易に得られる、操作性が良く、コストパフォーマンスの高い撮像システムおよび撮像装置を提供することを目的とする。
【課題を解決するための手段】
【００１０】
本発明の目的は、下記構成により達成することができる。
【００１１】
（請求項１）
携帯して使用する電子機器と撮像装置から構成される撮像システムにおいて、
前記電子機器は情報を記憶する第１の記憶手段と、
第１の記憶手段に記憶された情報を変調し、人体を介して送信する送信手段を有し、
前記撮像装置は、前記電子機器の送信手段から人体を介して送信された情報を受信して復調する受信手段と、
前記受信手段で復調した情報を記憶する第２の記憶手段を有する、
ことを特徴とする撮像システム。
【００１２】
（請求項２）
前記電子機器は、位置検出手段を有し、
前記情報は前記位置検出手段が検出した位置情報である、
ことを特徴とする請求項１に記載の撮像システム。
【００１３】
（請求項３）
前記電子機器は、第１の計時手段を有し、
前記情報は前記第１の計時手段が計時した時刻情報または日付情報である、
ことを特徴とする請求項１または２に記載の撮像システム。
【００１４】
（請求項４）
前記電子機器は、標準時刻情報を受信する標準時刻受信手段を有し、
前記標準時刻情報に基づいて前記第１の計時手段の時刻または日付を校正することを特徴とする請求項３に記載の撮像システム。
【００１５】
（請求項５）
前記撮像装置は、撮像した画像データを画像処理して記憶する第３の記憶手段と、
前記第３の記憶手段に記憶された画像データと前記第２の記憶手段に記憶された前記情報を関連づける情報記録制御手段とを有する、
ことを特徴とする請求項１〜４の何れか１項に記載の撮像システム。
【００１６】
（請求項６）
前記撮像装置は第２の計時手段を有し、
前記第２の記憶手段に記憶された前記情報に基づいて、第２の計時手段の時刻または日付を校正することを特徴とする請求項１〜５の何れか１項に記載の撮像システム。
【００１７】
（請求項７）
携帯して使用する電子機器と撮像装置から構成される撮像システムに用いられる撮像装置であって、
該撮像装置は、
前記電子機器から人体を介して送信された情報を受信して復調する受信手段を有することを特徴とする撮像装置。
【００１８】
（請求項８）
前記撮像装置は、
シャッタボタンと、
情報の受信を制御する情報受信制御手段を有し、
前記情報受信制御手段はシャッタボタンの操作を検知して、前記情報の受信を開始するように制御する、
ことを特徴とする請求項７に記載の撮像装置。
【００１９】
（請求項９）
前記シャッタボタンは、
人体と接触する電極部を有し、
前記電極部を介して前記情報を受信することを特徴とする請求項７または８に記載の撮像装置。
【発明の効果】
【００２０】
請求項１に記載の発明によれば、撮像装置は電子機器の情報を人体を介して受信するので、通信設定が容易で混信や盗聴のおそれの無い、操作性の良い撮像システムを提供できる。
【００２１】
請求項２に記載の発明によれば、撮像装置は電子機器の位置検出手段が検出した位置情報を取得できるので、位置検出手段の無い撮像装置でも位置情報が取得できる撮像システムを提供できる。
【００２２】
請求項３に記載の発明によれば、撮像装置は電子機器の計時手段が検出した時刻情報または日付情報を取得できるので、計時手段の無い撮像装置でも時刻情報または日付情報が取得できる撮像システムを提供できる。
【００２３】
請求項４に記載の発明によれば、前記第１の計時手段は標準時刻情報を受信して校正しているので、正確な時刻情報または日付情報の得られる撮像システムを提供できる。
【００２４】
請求項５に記載の発明によれば、撮影した画像データと電子機器から取得した情報を関連づけるので、撮影時の情報が関連づけされた画像データが得られる撮像システムを提供できる。
【００２５】
請求項６に記載の発明によれば、前記撮像装置は、電子機器から受信した情報に基づいて内蔵する計時手段を校正するので、正確な時刻を記録できる撮像システムを提供できる。
【００２６】
請求項７に記載の発明によれば、撮像装置は、電子機器の情報を、人体を介して受信するので、通信設定が容易で混信や盗聴のおそれの無い、操作性の良い撮像装置を提供できる。
【００２７】
請求項８に記載の発明によれば、撮像装置は、シャッタボタンの操作を検知して、前記情報の受信を開始するので、情報の取得を簡単な操作で行える、操作性の良い撮像装置を提供できる。
【００２８】
請求項９に記載の発明によれば、シャッタボタンは、人体と接触する電極部を有するので、シャッタボタンに触れるだけで人体を介した通信が可能な、操作性の良い撮像装置を提供できる。
【発明を実施するための最良の形態】
【００２９】
以下、図面に基づき本発明の実施形態を説明する。
【００３０】
まず、本発明の実施形態について、図１を用いて説明する。
【００３１】
図１は、本発明の実施形態に係るカメラ１の一例を示す外観図である。図１（ａ）はカメラ１前面の斜視図、図１（ｂ）はカメラ１背面の斜視図である。
【００３２】
図１（ａ）において、１００はレンズ鏡胴であり、内部にはズーム撮像光学系が内包されている。１１１はファインダ窓、１１２はシャッタボタン、１１３はフラッシュ発光部、１１４は調光用センサ窓、１１５はストラップ取り付け部、１１６は外部入出力端子（例えば、ＵＳＢ端子）である。１１７はスライドバリアであり、開状態で図示のようにレンズ鏡胴１００は撮影可能状態となり、閉方向へ少し移動させることでレンズ鏡胴１００は沈胴する。すなわち、スライドバリア１１７の開閉に連動してカメラ１は起動状態またはオフ状態になる。
【００３３】
シャッタボタン１１２には、シャッタボタン１１２を押すと指と接触するように電極Ｃ  ２０１が設けられている。また、カメラ１の上面には人体を介して通信するためのもう一方の電極Ｄ  ２０２が設けられている。
【００３４】
なお、電極Ｃ  ２０１は通信時に指など人体に接触するように配置されれば良く、シャッタボタン１１２上に限定されるものではない。たとえば、電極Ｃ  ２０１を後述する再生ボタン１２６や選択ボタン１２４など他のボタン上に配置しても良いし、グリップ部など筐体表面の一部に配置しても良い。一方、電極Ｄ  ２０２はカメラ１が、後述する携帯電話８０と通信時に、人体の近くで人体に接触しない位置に配置されれば良く、カメラ１の下面や筐体内部などに配置しても良い。
【００３５】
シャッタボタン１１２はその１段の押し込みによりＯＮになるＳＷ１  １８１と、さらに、その２段の押し込みによりＯＮになるＳＷ２  １８２が連動している。シャッタボタン１１２を１段押し込むと（ＳＷ１  １８１  ＯＮ）、カメラ１は携帯電話８０の情報を人体を介して受信する。また、撮影準備動作として焦点合わせ動作や測光動作が行われる。さらに、シャッタボタン１１２を２段押し込むと（ＳＷ２  １８２  ＯＮ）、撮影露光動作が行われる。
【００３６】
図１（ｂ）において、１２０はファインダ接眼部、１２１は赤と緑の表示ランプであり、ＡＦやＡＥの情報を、点灯もしくは点滅により撮影者に表示するものである。１２２はズームボタンであり、ズームアップ、ズームダウンをおこなうボタンである。１２３はメニュー／セットボタン、１２４は選択ボタンで４方向スイッチであり、１２５は画像表示部であり画像やその他文字情報等を表示する。メニュー／セットボタン１２３で、画像表示部１２５上に各種のメニューを表示させ、選択ボタン１２４でいずれかのメニューを選択し、メニュー／セットボタン１２３で確定させる機能を有している。例えば、操作者は画像表示部１２５上に表示されるメニューから静止画モード、動画モードなどの撮影モードを選択ボタン１２４で選択し、メニュー／セットボタン１２３で確定させることで撮影モードを選択できる。
【００３７】
再生ボタン１２６を押すと再生モードになり、撮影した画像の再生をおこなうことができる。１２７はディスプレイボタンで、画像表示部１２５に表示された画像やその他文字情報の表示や消去を選択するボタンである。再生モードにおいて、操作者は画像表示部１２５上に表示される複数の縮小画像や文字を選択ボタン１２４で選択し、メニュー／セットボタン１２３で確定させることで、再生や編集する画像を選択できる。
【００３８】
再生モードに設定されているとき、メニュー／セットボタン１２３で、画像表示部１２５上に表示される各種のメニューから、現在地付加モード、時刻校正モードを選択することができる。
【００３９】
現在地付加モードは選択されて再生中の画像に、現在地の位置情報を画像合成したり、画像ファイルのヘッダに記録して関連づけるモードである。時刻校正モードは正確な時刻情報、日付情報を取得して、後述するカメラ計時部１５０を校正するモードである。なお、時刻校正モードでは、再生中の画像とは無関係に時刻校正を行う。
【００４０】
１２８は消去ボタンであり、撮影記録した画像の消去をおこなうボタンである。１２９は三脚穴、１３０は電池／カード蓋である。電池／カード蓋１３０の内部には、本カメラの電源を供給する電池と、撮影した画像を記録するカード用のスロットが備えられており、電池及び画像を記録するＳＤカードなどのカード型の記録媒体である後述するメモリカード２５が挿脱可能になっている。
【００４１】
図２は、本発明の実施形態に係る電子機器の一例である携帯電話８０の外観図である。図２（ａ）は携帯電話８０を折りたたんだ状態の外観図、図２（ｂ）は携帯電話８０の操作状態の外観図である。
【００４２】
携帯電話８０はヒンジ部８４で結合された第１筐体８５と第２筐体８６から構成されている。第１筐体８５の内面には第１表示部８１があり、文字や画像を表示するようになっている。第２筐体８６の内面には操作ボタン８３が配置され、各種入力ができるようになっている。第１筐体８５と第２筐体８６はヒンジ部８４を軸として回転し、折りたたみ可能に構成されていて、図２（ａ）のように折りたたみ状態になる。８２は第２表示部であり、折りたたんだ状態で文字情報を表示できる。
【００４３】
携帯電話８０の第１筐体８５の表面からヒンジ部８４表面、第２筐体８６の表面には人体を介してカメラ１と通信するための電極Ａ  ３０１が設けられている。また、第１筐体８５の内面には人体を介して通信するためのもう一方の電極Ｂ  ３０２が設けられている。
【００４４】
なお、電極Ａ  ３０１は携帯電話８０がカメラ１と通信時に人体に接触するか、もしくはポケットの中など人体に非常に近い位置になるように配置されば良く、図２（ａ）の位置に限定されるものではない。一方、電極Ｂ  ３０２は携帯電話８０がカメラ１と通信時に、人体の近くで人体に接触しない位置に配置されれば良く、携帯電話８０の筐体内部などに配置しても良い。
【００４５】
図３は、本発明に係る撮像システム１０の実施の形態における回路ブロック図である。撮像システム１０はカメラ１と携帯電話８０から構成される。図中、図１、図２と同じ部分には同じ番号を付与した。
【００４６】
最初に、デジタルカメラであるカメラ１について説明する。
【００４７】
カメラ制御部７は、カメラＣＰＵ７０（中央処理装置）、カメラＲＡＭ７５，カメラＲＯＭ７６等から構成され、不揮発性の記憶部であるカメラＲＯＭ７６に記憶されているプログラムをカメラＲＡＭ７５に読み出し、当該プログラムに従ってレンズ鏡胴１００を含むカメラ１の各部を集中制御する。カメラＲＡＭ７５は本実施形態おける第２の記憶手段である。
【００４８】
撮影時において、カメラ制御部７は、ＣＣＤ５の画像出力から得られるピント情報と露出情報に基いて、ズームフォーカス駆動部３３２を制御して、レンズ群３２を駆動し、絞りシャッタ駆動部３３１を制御して、絞り３３を駆動する。また、カメラ制御部７は、ディスプレイボタン１２７により、ライブビューモードが設定されている場合、ＣＣＤ５によって撮像された画像を、連続して画像表示部１２５に表示する。
【００４９】
カメラ制御部７は、撮影に関するシーケンスを司っている。カメラ制御部７は、ＣＣＤ駆動部６を介してＣＣＤ５の撮像動作を制御する。なお、撮像素子は、本実施形態のＣＣＤ（Ｃｈａｒｇｅ  Ｃｏｕｐｌｅｄ  Ｄｅｖｉｃｅ）に代えて、ＣＭＯＳ（Ｃｏｍｐｌｅｍｅｎｔａｒｙ  Ｍｅｔａｌ−ｏｘｉｄｅ  Ｓｅｍｉｃｏｎｄｕｃｔｏｒ）センサ、ＣＩＤ（Ｃｈａｒｇｅ  Ｉｎｊｅｃｔｉｏｎ  Ｄｅｖｉｃｅ）センサ等の固体撮像素子であってもよい。ＣＣＤ５にて取得されたアナログ信号の画像はＡ／Ｄ変換部２１にてノイズ除去の処理後デジタル信号に変換され、画像処理部２２に画像のデジタル信号を順次出力する。
【００５０】
画像処理部２２はガンマ補正、輪郭補正、画像の拡大、縮小、画像圧縮、画像合成などの画像処理機能を有する。これらの画像処理もカメラ制御部７の指令により行われる。
【００５１】
カメラ制御部７はＣＣＤ５の画像出力を画像処理後、静止画ファイルまたは動画ファイルとして、画像メモリ２３に一旦記録する。次に、カメラ制御部７は、画像メモリ２３に一時記録された画像ファイルをあらかじめ設定されたメモリカード２５、または接続された記録媒体に記録する。画像メモリ２３は本実施形態の第３の記憶手段である。
【００５２】
また、カメラ制御部７は、操作部６０に設けられたシャッタボタン１１２、ズームボタン１２２、メニュー／セットボタン１２３、選択ボタン１２４、再生ボタン１２６、ディスプレイボタン１２７、消去ボタン１２８、スライドバリア１１７等からの入力を受信してカメラ１全体を制御し、図示せぬ電源部を制御することでカメラ各部に電源を供給する。
【００５３】
シャッタボタン１１２には半押しでＯＮになるスイッチＳＷ１  １８１と全押しでＯＮになるスイッチＳＷ２  １８２が連動しており、カメラ制御部７がシャッタボタン１１２の半押し（ＳＷ１  １８１  ＯＮ）、全押し（ＳＷ２  １８２  ＯＮ）のタイミングを検知できるようになっている。
【００５４】
電極Ｃ２０１、電極Ｄ２０２が接続された受信部２００は本実施形態の受信手段である。本実施形態の情報受信制御手段である情報受信制御部７２は、シャッタボタン１１２の半押し（ＳＷ１  １８１  ＯＮ）を検知して、受信部２００から情報を受信するように制御する。また、本実施形態の情報記録制御手段である情報記録制御部７１は、受信部２００が受信して復調した情報を、本実施形態の第２の記憶手段であるカメラＲＡＭ７５に記憶する。人体を介しての通信の手順については後で詳しく説明する。
【００５５】
情報記録制御部７１は、カメラＲＡＭ７５に記憶した情報と、画像メモリ２３に記録された静止画ファイルまたは動画ファイルと位置情報または時刻情報または日付情報を関連づける。関連づける方法としては、静止画ファイルまたは動画ファイルのヘッダ部に位置情報、時刻情報、日付情報を記録するか、または、画像処理部２２で静止画ファイル、動画ファイルの各画像に、時刻情報、日付情報を文字として合成する。なお、どちらの方法で関連づけるかは、撮影者がメニュー／セットボタン１２３で設定する。
【００５６】
本実施形態における第２の計時手段であるカメラ計時部１５０は、図示せぬボタン電池により動作している。本実施形態の時刻校正制御手段である時刻校正制御部７３は、受信部２００が受信し、情報記録制御部７１がカメラＲＡＭ７５に記憶している時刻情報または日付情報に基づいてカメラ計時部１５０を校正する。
【００５７】
次に、携帯電話８０について説明する。
【００５８】
携帯電話８０は、通話機能を有する電話部８８のほか、位置情報を検出する位置検出部８４、計時機能を有する電話計時部８６、入力手段である操作ボタン８３、表示手段である第１表示部８１、第２表示部８２、人体を介しての通信手段である送信部３００、などから構成され、電話マイコン部３２０が各部を制御している。
【００５９】
電話マイコン部３２０は電話ＣＰＵ３２１、電話ＲＡＭ３２２，電話ＲＯＭ３２３等から構成され、不揮発性の記憶部である電話ＲＯＭ３２３に記憶されているプログラムを電話ＲＡＭ３２２に読み出し、当該プログラムに従って電話部８８、電話計時部８６、位置検出部８４、送信部３００を含む携帯電話８０の各部を集中制御する。電話ＲＡＭ３２２は本実施形態における第１の記憶手段である。
【００６０】
位置検出部８４は携帯電話８０の位置情報を獲得する位置検出手段として機能する。位置検出部８４は本実施形態における位置検出手段である。位置検出部８４の代表として、「全地球的航行衛星システム」規格に準拠した、ＧＰＳ衛星からの電波を受信するＧＰＳ（Ｇｌｏｂａｌ  Ｐｏｓｉｔｉｏｎｉｎｇ  Ｓｙｓｔｅｍ）信号処理装置がある。この場合、自らＧＰＳ信号を処理して位置を算出するものでなくても外部処理装置から位置情報を受け取るものであっても良い。
【００６１】
標準時刻受信部８５は、携帯電話８０が所在する地域の標準時刻情報を獲得する。たとえば、所在する地域が日本であれば日本標準時刻であり、韓国であれば韓国標準時刻である。受信部８５は本実施形態における標準時刻受信手段である。標準時刻受信部８５の代表として、各地域の標準電波局から送信される標準電波を受信して、協定世界時（ＵＴＣ）に基づく各地域の標準時を時刻情報として獲得する標準電波受信装置や、ネットワークに接続してＮＴＰ（Ｎｅｔｏｗｏｒｋ  Ｔｉｍｅ  Ｐｒｏｔｏｃｏｌ）により時刻情報を獲得するＮＴＰ装置がある。
【００６２】
この場合、自ら時刻情報を獲得するものでなくても、外部処理装置から現地時刻情報を受け取るものであっても良い。現地時刻を検知する手段としては、ＧＰＳ衛星から電波で送信されるＧＰＳ信号に含まれる時刻情報を利用しても良い。ＧＰＳ信号処理装置を用いれば、位置情報と時刻情報の両方を取得することも可能である。
【００６３】
電話計時部８６は本実施形態における第１の計時手段である。電話計時部８６は標準時刻受信部８５が獲得した標準時刻情報に基づいて、時刻または日付を校正する。
【００６４】
電話マイコン部３２０は位置検出部８４と電話計時部８６から、一定の周期で位置情報または時刻情報または日付情報を獲得し、電話ＲＡＭ３２２に一時記憶する。
【００６５】
送信部３００は本実施形態における送信手段である。送信部３００と接続される電極Ａ３０１、電極Ｂ３０２とカメラ１の受信部２００に接続される電極Ｃ２０１、電極Ｄ２０２の間で人体を介して通信が行われる。人体を介しての通信については後で詳しく説明する。電話マイコン部３２０は電話ＲＡＭ３２２に記憶した情報を、送信部３００を制御して送信する。
【００６６】
図４は、本発明の実施の形態において、人体を介して通信する際の伝送経路を説明する説明図である。
【００６７】
図４に示すように、電極Ａ  ３０１と電極Ｃ  ２０１が、人体と電気的に接続されることにより、「電極Ａ  ３０１→人体→電極Ｃ  ２０１」というルートが構成される。携帯電話８０の電極Ａ  ３０１と人体との界面のインピーダンス値をＺ〔電極Ａ−人〕、人体のインピーダンス値をＺ〔人〕、人体とカメラ１の電極Ｃ  ２０１との界面のインピーダンス値をＺ〔電極Ｃ−人〕とすると、「電極Ａ  ３０１→人体→電極Ｃ  ２０１」の間のインピーダンス値はＺ〔電極Ａ−人〕＋Ｚ〔人〕＋Ｚ〔電極Ｃ−人〕である。
【００６８】
一方、電極Ｂ  ３０２と人体との界面インピーダンス値は、電極Ａ  ３０１と人体との界面のインピーダンス値より大きくなるように電極を設けている。同様に、電極Ｄ  ２０２と人体との界面インピーダンス値は、電極Ｃ  ２０１と人体との界面のインピーダンス値より大きくなるように電極を設けているので、電極Ｂ  ３０２と電極Ｄ  ２０２は静電結合し、「電極Ｂ  ３０２→電極Ｄ  ２０２」というルートが構成される。このルートのインピーダンス値は、携帯電話８０の電極Ｂ  ３０２とカメラ１の電極Ｄ  ２０２との静電結合のインピーダンス値Ｚ〔電極Ｂ−電極Ｄ〕である。
【００６９】
図５はこの２つの伝送経路を、上記のインピーダンス値を用いて等価回路で表現した等価回路図である。受信部２００の入力インピーダンス値をＺ〔受〕とすれば、単純な電圧分配により、Ｚ〔受〕にかかる電圧を検出することによって、送信部３００から受信部２００への伝送信号を検出でき、通信が実現される。
【００７０】
本実施の形態により、携帯電話８０からカメラ１までの通信が実現され、伝送線を必要とせず、また、無線発信機構を有さないので、小型、低コスト化が実現できる。
【００７１】
図６は本発明の実施形態における送信部３００を説明するためのブロック図、図７は本発明の実施形態における受信部２００のブロック図である。
【００７２】
図６に示すように、送信部３００は、人体に対するインピーダンス値が小さい送信電極である電極Ａ  ３０１と、それに比較してインピーダンス値が大きい送信電極である電極Ｂ  ３０２を備えている。
【００７３】
送信部３００は搬送波周波数を発生するＰＬＬ等の発振手段３０４と、その搬送波周波数に重畳して変調信号を生成する変調手段３０５と、変調信号に対応する電圧を印加する電圧印加手段３０６と、を備えている。また、送信部３００は図示せぬ電源部から給電されている。
【００７４】
電話マイコン部３２０の出力端子は変調手段３０５に接続され、電話マイコン部３２０３２０からの位置情報、時刻情報、日付情報などが、変調手段３０５で変調され、伝送信号として伝送されるようになっている。
【００７５】
また、送信部３００には、回路の基準電位となる回路グランド（図示せず）が設けられるが、この回路グランドを電極Ａ  ３０１、又は電極Ｂ  ３０２のいずれか一方として形成すれば、別途回路グランドの電極を設けなくてもよい。
【００７６】
図７ではシャッタボタン１１２に人体と接触する電極Ｃ  ２０１を形成した受信部２００の実施形態を説明する。
【００７７】
受信部２００には、人体に対するインピーダンス値が小さい受信電極である電極Ｃ  ２０１と、それに比較してインピーダンス値が大きい受信電極である電極Ｄ  ２０２を備えている。
【００７８】
シャッタボタン１１２を半押しにすると（ＳＷ１  １８１  ＯＮ）、カメラ制御部７は図示せぬ電源部を制御し、受信部２００が受信可能になるように制御する。このとき、人体（指）がシャッタボタン１１２に触れているので、電極Ｃ  ２０１と人体を介して信号を受信できる経路ができる。
【００７９】
受信部２００は、送信部３００の搬送波周波数のみを取り出すことができるように調節されたフィルタ手段２０３と、フィルタ手段２０３の出力信号を増幅するアンプ等の増幅手段２０４と、増幅手段２０４の出力から変調された伝送信号を復調する復調手段２０５と、を備えている。なお、受信部２００には、回路の基準電位となる回路グランド（図示せず）が設けられるが、この回路グランドを人体に対するインピーダンス値が小さい方の電極である電極Ｃ  ２０１として形成してもよい。
【００８０】
また、電極Ａ  ３０１、電極Ｃ  ２０１は、それぞれ電極Ｂ  ３０２、電極Ｄ  ２０２の人体に対するインピーダンス値より小さくなるように設けられていればよく、例えば、電極Ａ  ３０１及び電極Ｃ  ２０１が、人体に近設されており、電極Ｂ  ３０２及び電極Ｄ  ２０２が人体から離設されていればよい。さらに、電極と人体との電気的接続を阻止するものでなければ、人体と電極との間に繊維やケーシング材料等が介在してもよく、直接人体に触れる必要はない。
【００８１】
図８は本発明の実施の形態における携帯電話８０が行う情報送信の概略の手順を説明するフローチャートである。本実施の形態では、携帯電話８０の電源が投入されているものとする。
【００８２】
電話マイコン部３２０は位置検出部８４から位置情報を取得し、電話ＲＡＭ３２２に記憶する（ステップＳ１０１）。位置情報はＧＰＳ衛星からのＧＰＳ電波を受信することにより取得するので、電波状態が悪い場合は取得できない場合もある。その場合は取得に失敗したことを電話ＲＡＭ３２２に記憶する。
【００８３】
電話マイコン部３２０は電話計時部８６から時刻情報と日付情報を取得し、電話ＲＡＭ３２２に記憶する（ステップＳ１０２）。なお、電話計時部８６の時刻情報、日付情報は、標準電波送信所からの電波時計用標準電波など時間情報を含む電波を、標準時刻受信部８５が受信して校正されている。
【００８４】
電話マイコン部３２０は、送信部３００の図示せぬ電源をＯＮにし、送信する情報の種類と数を含む情報送信開始信号を人体を介して送信する（ステップＳ１０３）。送信時に情報を識別するため、送信する順に固有の番号Ｎを割り当てている。たとえば情報１は位置情報、情報２は時刻情報である。
【００８５】
ステップＳ１０４では、電話マイコン部３２０は内部の第１の記憶手段である電話ＲＡＭ３２２に記憶された位置情報を読み出し、送信部３００から変調信号を人体を介して送信する（ステップＳ１０４）。同様に、電話マイコン部３２０は内部の第１の記憶手段である電話ＲＡＭ３２２に記憶された時刻情報、日付情報を読み出し、送信部３００から変調信号を人体を介して送信する（ステップＳ１０５）。送信を終えると、電話マイコン部３２０は情報送信終了信号を送信する（ステップＳ１０５）。これで、情報の送信は終了し、ステップＳ１０１に戻る。
【００８６】
なお、本実施形態では位置情報と時刻情報、日付情報をそれぞれ取得し、毎回送信しているが、位置情報と時刻情報、日付情報を別個に取得し、送信しても全く問題ない。また、携帯電話８０に受信部を設け、送信部を設けたカメラ１からの指令により、情報の取得と送信を行うようにしても良い。あるいは、携帯電話８０に送信を開始するスイッチを設け、スイッチが押されたときだけ、情報を取得し送信するようにしても良い。
【００８７】
図９は本発明の実施の形態におけるカメラ１が撮影時に行う、情報受信の概略手順を説明するフローチャートである。このとき、撮影者は電源が投入された状態の携帯電話８０を身に付けているものとする。
【００８８】
ステップＳ２０１において、撮影者はシャッタボタンを半押し（ＳＷ１  １８１  ＯＮ）にしているので、電極Ｃ  ２０１に指が触れている状態である。カメラ制御部７は、シャッタボタン１１２が半押し（ＳＷ１  １８１  ＯＮ）であることを検知して（ステップＳ２０１）、自動焦点制御（ＡＦ）（ステップＳ２０２）と自動露出制御（ＡＥ）（ステップＳ２０３）を行う。
【００８９】
次に、カメラ制御部７は、後で詳しく説明する情報受信ルーチンを実行し、位置情報、時刻情報、日付情報など所定の情報を携帯電話８０から取得し、受信した情報をカメラＲＡＭ７５に記憶する（ステップＳ２０４）。
【００９０】
シャッタボタン１１２が全押し（ＳＷ２  １８２  ＯＮ）ではない場合（ステップＳ２０５；Ｎｏ）、ステップＳ２０２に戻る。シャッタボタン１１２が全押し（ＳＷ２  １８２  ＯＮ）の場合（ステップＳ２０５；Ｙｅｓ）、カメラ制御部７は各部を撮像するよう制御し、撮像後ＣＣＤ５から読み出された画像データを画像メモリ２３に一時記憶する（ステップＳ２０６）。
【００９１】
画像処理部２２は画像メモリ２３に一時記憶している画像データに画素補間、マトリクス処理、ＷＢ補正、ガンマ補正、輪郭補正などの画像処理を行う（ステップＳ２０７）。
【００９２】
次に、情報記録制御部７１は、ステップＳ２０４でカメラＲＡＭ７５に記憶されている位置情報、時刻情報、日付情報などを、画像メモリ２３に一時記憶している画像データと関連づけ、画像処理部２２に画像データと各情報を表す文字を合成するように指令する。また、情報記録制御部７１は、前記画像データに位置情報、時刻情報、日付情報などのヘッダを加える（ステップＳ２０８）。
【００９３】
画像処理部２２はステップＳ２０８で処理を行った画像データを圧縮し、圧縮した画像データは一旦画像メモリ２３に保存する。その後、カメラ制御部７は前記画像データを順次メモリカード２５に記録する（ステップＳ２０９）。
【００９４】
撮影はこれで終了である。このように、撮影する直前の位置情報、時刻情報、日付情報を、人体を介して携帯電話８０から取得し、撮影画像に関連づけて記録することができる。
【００９５】
なお、ステップＳ２０８で行う画像データと各情報を表す文字との合成は、必須ではなく、撮影意図により合成の要否を設定し、必要な情報だけを合成すれば良い。
【００９６】
図１０は本発明の実施の形態におけるカメラ１が行う情報受信ルーチンの手順を説明するフローチャートである。
【００９７】
情報受信ルーチンは、図９のステップＳ２０４で説明したように、サブルーチンとしてコールされ、実行した結果が返される。
【００９８】
情報受信ルーチンがコールされると、受信失敗の回数を表す変数Ｎを初期化し、０とする（ステップＳ４０１）。次に、変数Ｎを取得し（ステップＳ４０２）、Ｎ＝３かどうか、判定する。（ステップＳ４０３）。Ｎ＜３、すなわち受信失敗回数が３回未満のとき、ステップＳ４０５に進む（ステップＳ４０３；Ｎｏ）。
【００９９】
情報送信開始信号を所定時間以内に受信できなかったときは（ステップＳ４０５；Ｎｏ）、Ｎ＝Ｎ＋１とし、ステップＳ４０２に戻る（ステップＳ４１３）。
【０１００】
情報送信開始信号を所定時間以内に受信できたときは（ステップＳ４０５；Ｙｅｓ）、情報送信開始信号に含まれる情報の種類と数の情報を得て、位置情報を受信する（ステップＳ４０６）。
【０１０１】
位置情報を所定時間以内に受信できなかったときは（ステップＳ４０７；Ｎｏ）、Ｎ＝Ｎ＋１とし、ステップＳ４０２に戻る（ステップＳ４１３）。
【０１０２】
位置情報を所定時間以内に受信できたときは（ステップＳ４０７；Ｙｅｓ）受信したデータ、すなわち位置情報をカメラＲＡＭ７５に記憶する（ステップＳ４０８）。
【０１０３】
次に時刻情報、日時情報を受信する（ステップＳ４０９）。時刻情報、日時情報を所定時間以内に受信できなかったときは（ステップＳ４１０；Ｎｏ）、Ｎ＝Ｎ＋１とし、ステップＳ４０２に戻る（ステップＳ４１３）。
【０１０４】
時刻情報、日時情報を所定時間以内に受信できたときは（ステップＳ４１０；Ｙｅｓ）、受信したデータを順にカメラＲＡＭ７５に記憶する（ステップＳ４１１）。
【０１０５】
次にデータ終了信号を受信する（ステップＳ４１２）。データ終了信号を所定時間以内に受信できなかったときは（ステップＳ４１３；Ｎｏ）、Ｎ＝Ｎ＋１とし、ステップＳ４０２に戻る（ステップＳ４１３）。
【０１０６】
データ終了信号を所定時間以内に受信できたときは（ステップＳ４１３；Ｙｅｓ）、受信したデータを順にカメラＲＡＭ７５に記憶する。
【０１０７】
このとき、カメラ制御部７は位置情報、時刻情報、日付情報をすべて受信し、各情報は第２の記憶手段であるカメラＲＡＭ７５に記憶されている。
【０１０８】
ステップＳ４０３において、Ｎ＝３、すなわち３回受信に失敗したとき（ステップＳ４０３；Ｙｅｓ）、受信不能と判定し、カメラ制御部７はエラー処理を行う（ステップＳ４０４）。カメラ制御部７はエラー処理として、たとえばカメラＲＡＭ７５の所定の場所に受信不能を示す情報を記録する。
【０１０９】
図１１は本発明の実施の形態におけるカメラ１が、再生画像に現在地の情報を関連づける現在地付加モードの場合に行う、情報受信の概略手順を説明するフローチャートである。このとき、カメラ１は再生モードに設定され、現在地付加モードが選択されているものとする。また、操作者は電源が投入された状態の携帯電話８０を身に付けているものとする。
【０１１０】
ステップＳ３０１において、撮影者はシャッタボタン１１２を半押し（ＳＷ１  １８１  ＯＮ）にしているので、電極Ｃ  ２０１に指が触れている状態である。カメラ制御部７は、シャッタボタン１１２が半押し（ＳＷ１  １８１  ＯＮ）であることを検知して（ステップＳ３０１）、図１０で説明した情報受信ルーチンを実行し、位置情報、時刻情報、日付情報など所定の情報を携帯電話８０から取得し、受信した情報をカメラＲＡＭ７５に記憶する（ステップＳ３０２）。
【０１１１】
シャッタボタン１１２が全押し（ＳＷ２  １８２  ＯＮ）ではない場合（ステップＳ３０３；Ｎｏ）、ステップＳ３０２に戻る。シャッタボタン１１２が全押し（ＳＷ２  １８２  ＯＮ）の場合（ステップＳ３０３；Ｙｅｓ）、情報記録制御部７１は、ステップＳ３０２でカメラＲＡＭ７５に記憶されている位置情報を、現在、再生している画像データと関連づけ、画像処理部２２に画像データと位置情報を表す文字を合成するように指令する。また、情報記録制御部７１は、前記画像データに位置情報のヘッダを加える（ステップＳ３０４）。
【０１１２】
カメラ制御部７は、前記位置情報を画像表示部１２５に表示し（ステップＳ３０５）、ステップＳ３０４で処理を行った画像データをメモリーカード２５に記録する（ステップＳ３０６）。
【０１１３】
このように、撮影後に位置情報、時刻情報、日付情報を、人体を介して携帯電話８０から取得し、再生画像に関連づけて記録することができる。本実施形態では時刻情報、日付情報の取得と記録をシャッタボタン１１２に連動させているが、シャッタボタン１１２以外のボタンによって時刻情報、日付情報の取得と記録を行うようにしても良い。
【０１１４】
なお、ステップＳ３０４で行う画像データと各情報を表す文字との合成は、必須ではなく、撮影意図により合成の要否を設定し、必要な情報だけを合成すれば良い。
【０１１５】
図１２は本発明の実施の形態におけるカメラ１が時刻校正の場合に行う、情報受信の概略手順を説明するフローチャートである。このとき、カメラ１は時刻校正モードが選択されているものとする。また、操作者は電源が投入された状態の携帯電話８０を身に付けているものとする。なお、図１２において、図１１と同じ処理には同番号を付し、説明を省略する。
【０１１６】
ステップＳ３０３までの処理は図１１と同じなので省略し、ステップＳ４０４から説明する。
【０１１７】
シャッタボタン１１２が全押し（ＳＷ２  １８２  ＯＮ）の場合（ステップＳ３０３；Ｙｅｓ）、時刻校正制御部７３は、ステップＳ３０２でカメラＲＡＭ７５に記憶されている時刻情報、日付情報に基づいて、カメラ計時部１５０の時刻情報、日付情報を校正し（ステップＳ４０４）、カメラ制御部７は、前記時刻情報、日付情報を画像表示部１２５に表示する（ステップＳ４０５）。これでカメラ計時部１５０の時刻、日付の校正ができた。このように、撮影後に位置情報、時刻情報、日付情報を、人体を介して携帯電話８０から取得し、再生画像に関連づけて記録することができる。なお、本実施形態では時刻情報、日付情報の校正をシャッタボタン１１２に連動させているが、シャッタボタン１１２以外のボタンによって時刻情報、日付情報の校正を行うようにしても良い。
【０１１８】
なお、本実施の形態では操作者がシャッタボタン１１２を半押し（ＳＷ１  １８１  ＯＮ）にしたとき、受信部２００が受信を開始するようにしているが、受信を開始する操作部材はシャッタボタン１１２に限定されるものではなく、他のスイッチやボタンでも良い。また、電極Ｃ２０１をシャッタボタン１１２などの操作部材表面以外に形成しても良い。さらに、スイッチやボタンの操作に関係なく常時受信部２００が受信するようにしても良い。
【０１１９】
以上のように本実施の形態によれば、撮影時に携帯する携帯電話や腕時計などとカメラが人体を介して通信することにより、撮影時の位置情報や正確な時刻、日付情報を得て、撮影画像に位置情報や正確な時刻、日付を関連づけできるので、操作性が良く、コストパフォーマンスの高い撮像システムおよび撮像装置を提供できる。
【０１２０】
なお、本実施形態として撮像装置としてデジタルカメラを例示したが、銀塩カメラやビデオカメラなどにも適用可能である。また、電子機器として携帯電話８０を例示したが、腕時計（電波時計など）やＰＤＡ（Ｐｅｒｓｏｎａｌ  Ｄｉｇｉｔａｌ  Ａｓｓｉｓｔａｎｔ）などにも適用可能である。
【図面の簡単な説明】
【０１２１】
【図１】本発明に係るカメラ１の外観図である。
【図２】本発明に係る携帯電話８０の外観図である。
【図３】本発明の第１の実施形態における撮像装置として機能するカメラ１の回路ブロック図である。
【図４】本発明の実施の形態において人体を介して通信する際の伝送経路を説明する説明図である。
【図５】２つの伝送経路を、上記のインピーダンス値を用いて等価回路で表現した等価回路図である。
【図６】本発明の実施形態における送信部と周辺の回路ブロック図である。
【図７】本発明の実施形態における受信部と周辺の回路ブロック図である。
【図８】本発明の実施形態における携帯電話８０で行われる情報送信時の処理の流れを示すフローチャートである。
【図９】本発明の実施形態におけるカメラ１が撮影時に行う情報受信の流れを示すフローチャートである。
【図１０】本発明の実施形態におけるカメラ１が実行する情報受信ルーチンの処理の流れを示すフローチャートである。
【図１１】本発明の実施形態におけるカメラ１が再生時に行う、再生画像ファイルと位置情報との関連づけ処理の流れを示すフローチャートである。
【図１２】本発明の実施形態におけるカメラ１が時刻校正の場合に行う、情報受信の概略手順を示すフローチャートである。
【符号の説明】
【０１２２】
１  カメラ
７  カメラ制御部
１０  撮像システム
７１  情報記録制御部
７２  情報受信制御部
７３  時刻校正制御部
８０  携帯電話
２００  受信部
２０１  電極Ｃ
２０２  電極Ｄ
３００  送信部
３０１  電極Ａ
３０２  電極Ｂ
３０３  通信開始スイッチ
３２０  電話マイコン部
【図１】
2007043282.tif 000003
【図２】
2007043282.tif 000004
【図３】
2007043282.tif 000005
【図４】
2007043282.tif 000006
【図５】
2007043282.tif 000007
【図６】
2007043282.tif 000008
【図７】
2007043282.tif 000009
【図８】
2007043282.tif 000010
【図９】
2007043282.tif 000011
【図１０】
2007043282.tif 000012
【図１１】
2007043282.tif 000013
【図１２】
2007043282.tif 000014